(57)【要約】【課題】光源装置から射出された光束の光強度を高精度に検出し、これに基づいて、正確に光強度の測定を行うことのできるプロジェクタを提供すること。【解決手段】プロジェクタは、光源装置２から射出された光束の光路を塞ぐように進退自在に設けられた遮光板と、該遮光板を駆動する駆動機構９３とを含んで構成され、該光源装置２から射出された光束の光量を調節する調光装置を備え、光量調節時、遮光板の光源装置２と対向する面には、光源装置２から射出された光束の光強度を検出する光検出素子９２が設けられ、プロジェクタの制御装置１０は、光検出素子９２で検出された光束の光強度を取得する出力光強度取得手段１４と、取得された光強度に基づいて、駆動機構を制御する駆動機構制御手段１５とを備えている。【選択図】図４
2008089837.tif 000002
【特許請求の範囲】
【請求項１】
光源装置と、前記光源装置から射出された光束を、入力される画像情報に応じて変調して光学像を形成する光変調装置と、前記光変調装置で形成された光学像を拡大投射する投射光学装置と、前記光源装置及び前記光変調装置を含む装置本体を制御する制御装置とを備えたプロジェクタであって、
前記光源装置から射出された光束の光路を塞ぐように進退自在に設けられた遮光板と、該遮光板を駆動する駆動機構とを含んで構成され、該光源装置から射出された光束の光量を調節する調光装置を備え、
光量調節時、前記遮光板の前記光源装置と対向する面には、前記光源装置から射出された光束の光強度を検出する光検出素子が設けられ、
前記制御装置は、
前記光検出素子で検出された光束の光強度を取得する出力光強度取得手段と、
取得された光強度に基づいて、前記駆動機構を制御する駆動機構制御手段とを備えていることを特徴とするプロジェクタ。
【請求項２】
請求項１に記載のプロジェクタにおいて、
前記調光装置は、一端が回動可能に軸支され、全開時に前記光束の光路を挟んで対向配置され、回動により前記光束の光路を塞ぐ一対の遮光板と、前記一対の遮光板を回動させる回動機構とを備え、
前記光検出素子は、各遮光板の回動側先端に設けられていることを特徴とするプロジェクタ。
【請求項３】
請求項１又は請求項２に記載のプロジェクタにおいて、
入力される前記画像情報に含まれる光強度情報を取得する入力光強度情報取得手段と、
前記出力光強度取得手段で取得された光強度、及び前記入力光強度情報取得手段で取得された光強度情報に基づいて、補正量を生成する補正量生成手段とを備え、
前記駆動機構制御手段は、前記補正量生成手段で生成された補正量に基づいて、前記駆動機構を制御することを特徴とするプロジェクタ。
【請求項４】
請求項３に記載のプロジェクタにおいて、
前記光源装置を駆動する光源装置駆動手段を備え、
前記制御装置は、
前記補正量生成手段で生成された補正量に基づいて、前記光源装置の駆動制御を行う光源装置駆動制御手段を備えていることを特徴とするプロジェクタ。
【発明の詳細な説明】
【技術分野】
【０００１】
本発明は、プロジェクタに関する。
【背景技術】
【０００２】
従来、光源装置と、前記光源装置から射出された光束を、入力される画像情報に応じて変調して光学像を形成する光変調装置と、前記光変調装置で形成された光学像を拡大投射する投射光学装置と、前記光源装置及び前記光変調装置を制御する制御装置とを備えたプロジェクタが知られており、このようなプロジェクタは、ホームシアター用途、会議等におけるプレゼンテーション用途で広く利用されている。
ところで、このようなプロジェクタは、長年の使用により光変調装置を含み光学部品等が劣化することがあり、光学部品等の劣化は、投射画像の画像品質の劣化につながり、例えば、投射画像全体の色変化、部分的な色ムラとして観察者に視認される。
【０００３】
そこで、ＲＧＢ三色のＬＥＤ光源と、各色ＬＥＤ光源に応じて光変調装置が設けられたプロジェクタにおいて、光変調装置の表示領域周端外側に近接して光電変換素子を設け、ＬＥＤ光源からの入射光束の光量を光検出素子により測定しながら、光源から照射された光の光量の制御を行う技術が提案されている（例えば、特許文献１参照）。
【０００４】
【特許文献１】特開２００４−３１７８００号公報
【発明の開示】
【発明が解決しようとする課題】
【０００５】
しかしながら、前記特許文献１記載の技術では、光変調装置で形成する光学像に干渉しないように光検出素子を表示領域の外側に設けなければならないため、本来の表示領域内の光の輝度を正確に検出することができないという問題がある。特に、前記特許文献１記載の技術は、光源装置から離れた光変調装置に光検出素子を配置しているため、光源から射出された光束の輝度、照度等の光強度を正確に検出することができないという問題がある。
【０００６】
本発明の目的は、光源装置から射出された光束の光強度を高精度に検出し、これに基づいて、正確に光強度の測定を行うことのできるプロジェクタを提供することにある。
【課題を解決するための手段】
【０００７】
本発明に係るプロジェクタは、
光源装置と、前記光源装置から射出された光束を、入力される画像情報に応じて変調して光学像を形成する光変調装置と、前記光変調装置で形成された光学像を拡大投射する投射光学装置と、前記光源装置及び前記光変調装置を含む装置本体を制御する制御装置とを備えたプロジェクタであって、
前記光源装置から射出された光束の光路を塞ぐように進退自在に設けられた遮光板、及び、該遮光板を駆動する駆動機構を備え、該光源装置から射出された光束の光量を調節する調光装置を備え、
光量調節時、前記遮光板の前記光源装置と対向する面には、前記光源装置から射出された光束の光強度を検出する光検出素子が設けられ、
前記制御装置は、
前記光検出素子で検出された光束の光強度を取得する出力光強度取得手段と、
取得された光強度に基づいて、前記駆動機構を制御する駆動機構制御手段とを備えていることを特徴とする。
【０００８】
ここで、光強度は、例えば、輝度、照度等の明るさを指標する種々の値を採用することができる。
この発明によれば、調光装置の遮光板に光検出素子が設けられていることにより、調光装置による光量制御に際して、遮光板が光源装置から射出された光束の光路を塞ぐように進退動作を行っているため、遮光板の進退位置に応じて光源装置から射出された光束の光強度を高精度に測定することができる。従って、このように進退位置に応じて光源装置から射出された光束の光強度を測定することにより、制御装置の出力光強度取得手段が光検出素子で検出された光強度を取得して、光源装置から射出された光束の光強度に応じて調光装置の駆動制御を適切に行うことができる。この結果、例えば、光源装置から射出された光束の輝度、照度等が低下していた場合、調光装置の遮光板による光量制御量を少なくし、低下していない場合、調光装置の遮光板による光量制御量を多くして、光源装置から光強度の安定した光束を射出することができる。
【０００９】
本発明では、前記調光装置は、一端が回動可能に軸支され、全開時に前記光束の光路を挟んで対向配置され、回動により前記光束の光路を塞ぐ一対の遮光板と、前記一対の遮光板を回動させる回動機構とを備え、
前記光検出素子は、各遮光板の回動側先端に設けられているのが好ましい。
この発明によれば、調光装置の遮光板が回動により光源装置から射出された光束を塞ぐように構成されているため、全開時に近い状態では、光束の端部近傍の光強度を測定し、回動位置を変化させることにより、光束の中央部の光強度を測定することが可能となり、光源装置から射出された光束を全体に亘って光強度の測定を行うことができ、より高精度に測定することが可能となる。
【００１０】
本発明では、入力される前記画像情報に含まれる光強度情報を取得する入力光強度情報取得手段と、前記出力光強度取得手段で取得された光強度、及び前記入力光強度情報取得手段で取得された光強度情報に基づいて、補正量を生成する補正量生成手段とを備え、
前記駆動機構制御手段は、前記補正量生成手段で生成された補正量に基づいて、前記駆動機構を制御するのが好ましい。
この発明によれば、入力光強度情報取得手段により、入力される画像情報に含まれる光強度情報を取得し、これと光検出素子で測定された光強度とに基づいて、調光装置の制御を行うことができるため、入力された画像情報に応じた適切な調光装置の制御を行うことができ、動画像のように大きくコントラストが変化する画像をより鮮明に表示することができる。
【００１１】
本発明では、前記光源装置を駆動する光源装置駆動手段を備え、
前記制御装置は、前記補正量生成手段で生成された補正量に基づいて、前記光源装置の駆動制御を行う光源装置駆動制御手段を備えているのが好ましい。
この発明によれば、光源装置駆動制御手段が補正量生成手段で生成された補正量に基づいて、光源装置の駆動制御を行うことにより、調光装置の制御に加え、光源装置の駆動制御を行うことができるため、光源装置から射出される光束の光量をより大きく変化させることができる。
【発明を実施するための最良の形態】
【００１２】
以下、本発明の実施形態を図面に基づいて説明する。
〔１〕全体構成
図１には、本発明の実施形態に係るプロジェクタ１の光学系が示され、プロジェクタ１は、光源装置から射出される光束を画像情報に応じて変調してカラー画像（光学像）を形成し、このカラー画像をスクリーンＳｃ上に拡大投射するものである。
このプロジェクタ１は、光源装置２、均一照明光学装置３、色分離光学装置４、リレー光学装置５、光学装置６、色合成光学装置７、投射光学装置８、及び調光装置９を備えて構成される。
光源装置２は、放電発光管からなる光源ランプ２１およびパラボラリフレクタ２２を備え、光源ランプ２１から射出された放射状の光束は、パラボラリフレクタ２２によって反射されて平行化され、均一照明光学装置３に射出される。
【００１３】
均一照明光学装置３は、光源装置２から射出された光束を、複数の部分光束に分割し、後述する液晶パネルの画像形成領域を略均一に照明するための光学系であり、第１レンズアレイ３１と、第２レンズアレイ３２と、偏光変換素子３３と、重畳レンズ３４とを備える。
第１レンズアレイ３１は、入射光軸方向から見て略矩形状の輪郭を有する第１小レンズが、入射光軸に対し略直交する面内においてマトリクス状に配列された構成を有している。各第１小レンズは、光源装置２から射出される光束を複数の部分光束に分割している。
第２レンズアレイ３２は、第１レンズアレイ３１と略同様な構成を有しており、第２小レンズがマトリクス状に配列された構成を有している。この第２レンズアレイ３２は、重畳レンズ３４とともに、第１レンズアレイ３１の各第１小レンズの光源像を後述する液晶パネル上に結像させる機能を有している。
【００１４】
偏光変換素子３３は、第２レンズアレイ３２と重畳レンズ３４との間に配置され、第２レンズアレイ３２からの光を略１種類の偏光光に変換するものである。
具体的に、偏光変換素子３３によって略１種類の偏光光に変換された各部分光は、重畳レンズ３４によって最終的に後述する液晶パネル上にほぼ重畳される。偏光光を変調するタイプの液晶パネルを用いたプロジェクタ１では、１種類の偏光光しか利用できないため、ランダムな偏光光を発する光源装置２からの光の略半分を利用できない。このため、偏光変換素子３３を用いることで、光源装置２からの射出光を略１種類の偏光光に変換し、後述する液晶パネルでの光の利用効率を高めている。
【００１５】
色分離光学装置４は、２枚のダイクロイックミラー４１、４２と、反射ミラー４３とを備え、ダイクロイックミラー４１、４２により均一照明光学装置３から射出された複数の部分光束を、赤（Ｒ）、緑（Ｇ）、青（Ｂ）の３色の色光に分離する機能を有している。
リレー光学装置５は、入射側レンズ５１、リレーレンズ５３、および反射ミラー５２、５４を備え、色分離光学装置４で分離された赤色光を光学装置６の赤色光用の液晶パネル及び液晶シャッタまで導く機能を有している。
【００１６】
この際、色分離光学装置４のダイクロイックミラー４１では、均一照明光学装置３から射出された光束の青色光成分が反射するとともに、赤色光成分と緑色光成分とが透過する。ダイクロイックミラー４１によって反射した青色光は、反射ミラー４３で反射し、フィールドレンズ４４を通って光学装置６の後述する青色光用の液晶パネルに達する。
このフィールドレンズ４４は、第２レンズアレイ３２から射出された各部分光束をその中心軸（主光線）に対して平行な光束に変換する。他の緑色光用、赤色光用の液晶パネルの光束入射側に設けられたフィールドレンズ４４も同様である。
【００１７】
ダイクロイックミラー４１を透過した赤色光と緑色光のうちで、緑色光はダイクロイックミラー４２によって反射し、フィールドレンズ４４を通って光学装置６の後述する緑色光用の液晶パネルに達する。
一方、赤色光はダイクロイックミラー４２を透過してリレー光学装置５を通り、さらにフィールドレンズ４４を通って光学装置６の後述する赤色光用の液晶パネルに達する。
なお、赤色光にリレー光学装置５が用いられているのは、赤色光の光路の長さが他の色光の光路の長さよりも長いため、光の発散等による光の利用効率の低下を防止するためである。すなわち、入射側レンズ５１に入射した部分光束をそのまま、フィールドレンズ４４に伝えるためである。
【００１８】
光学装置６は、前記色分離光学装置４で分離された各色光ＲＧＢに応じて光変調を行い、光学像を形成する部分であり、光変調装置としての液晶パネル６１Ｒ、６１Ｇ、６１Ｂを備えて構成される。
液晶パネル６１Ｒ、６１Ｇ、６１Ｂは、複数の画素がマトリクス状に配列された画像形成領域を備え、各画素で入力された画像情報に応じた階調表示を行う。
この液晶パネル６１Ｒ、６１Ｇ、６１Ｂは、一対の透明基板間に液晶を封入し、一方の基板上に形成されるＴＦＴ（Thin Film Transistor）により液晶を駆動させる構成を具備し、それぞれの光入射側及び光射出側には、図示を略したが、入射側偏光板及び射出側偏光板が設けられ、ＴＦＴをスイッチング素子として液晶の配向性を制御して、射出側偏光板から射出される光の量を調整して画像情報に応じた階調表示を作り出している。
【００１９】
色合成光学装置７は、液晶パネル６１Ｒ、６１Ｇ、６１Ｂの射出側偏光板から射出された色光毎に変調された各色光を合成してカラー画像を形成する。この色合成光学装置７は、４つの直角プリズムを貼り合わせた平面視略正方形状をなし、直角プリズム同士を貼り合わせた界面には、２つの誘電体多層膜が形成されている。これら誘電体多層膜は、液晶パネル６１Ｇから射出された色光を透過し、液晶パネル６１Ｒ，６１Ｂから射出された各色光を反射する。
投射光学装置８は、筒状の鏡筒内に複数のレンズが収納された組レンズとして構成され、色合成光学装置７で形成されたカラー画像は、この投射光学装置８によりスクリーンＳｃ上に拡大投射される。
そして、均一照明光学装置３を構成する第１レンズアレイ３１及び第２レンズアレイ３２の間には、調光装置９が設けられている。
【００２０】
〔２〕調光装置９の構造
調光装置９は、図２に示されるように、第１レンズアレイ３１及び第２レンズアレイ３２の間に設けられ、光源装置２から射出された光束の射出光量を調整する機能を具備する。
この調光装置９は、一端が回動自在に軸支される一対の遮光板９１と、図２では図示を略したが、これら一対の遮光板９１を回動させる遮光板駆動機構とを備えて構成される。
一対の遮光板９１は、調光装置９を全開とした状態で互いに遮光板９１が向き合い、光源装置２から射出される光路の外側に配置され、光源装置２から遠い側の端部の回動軸９１Ａで軸支されている。そして、調光装置９の光量調節を行うに従って、回動軸９１Ａ回りに回動し、回動角θが増加し、遮光板９１間の間隔が徐々に狭くなり、その間から漏れる光が次第に減少する。
【００２１】
図示を略した遮光板駆動機構は、各遮光板９１の回動軸９１Ａの軸上端に設けられ、回動軸９１Ａと共に回転する一対の歯車と、これら一対の歯車に噛合する駆動歯車と、この駆動歯車に駆動軸が接続されたステッピングモータとを備えて構成される。この遮光板駆動機構は、後述する制御装置からの制御指令に基づいて、ステッピングモータが所定の角度で回転し、これに伴い遮光板９１が回動し、所定の隙間で保持されて光量調節を実現している。
各遮光板９１の回動時に光源装置２と対向する面の回動先端側には、光検出素子９２が設けられている。この光検出素子９２は、フォトダイオード、ＣＭＯＳセンサ等の光電変換素子から構成され、受けた光の、輝度値等の強度に応じて電気信号を検出値として出力するようになっている。
また、光検出素子９２は、図３に示されるように、各遮光板９１の高さ寸法Ｌの略３分の１の部分に２箇所設けられ、遮光板９１により遮光される領域Ｌの略１／３Ｌずつ均等に分割する位置に配置される。
【００２２】
〔３〕プロジェクタ１の制御構造
次に、前述した構造のプロジェクタ１の制御構造について説明する。
図４には、プロジェクタ１の制御を行う制御装置１０が示されている。この制御装置１０は、入力される画像情報ＶＩＤＥＯに所定の画像処理を行うとともに、液晶パネル６１Ｒ、６１Ｇ、６１Ｂの駆動制御を行って液晶パネル６１Ｒ、６１Ｇ、６１Ｂ上に光学像を形成するとともに、前述した調光装置９の遮光板９１の開度制御、及び光源装置２の印加電圧制御を行う機能を具備している。
この制御装置１０は、画像処理手段１１、光変調装置駆動制御手段１２、ドライバＩＣ１３、出力光強度取得手段１４、駆動機構制御手段１５、機構駆動回路１５Ａ、光源装置駆動制御手段１６、光源駆動回路１６Ａ、入力光強度情報取得手段１７、及び補正量生成手段１８を備えて構成される。
【００２３】
画像処理手段１１は、入力された画像情報ＶＩＤＥＯをフレーム単位で蓄積するフレームバッファを備え、フレームバッファに蓄積されたフレーム単位の表示画像データに対して、適切な画像を表示させるための画像処理を施す部分であり、具体的には、白黒伸長処理、ＩＰ変換処理、γ補正処理、Ｖ−Ｔγ補正処理等を行う。
光変調装置駆動制御手段１２は、画像処理手段１１で処理された画像情報に基づいて、液晶パネル６１Ｒ、６１Ｇ、６１Ｂを駆動制御するための制御信号を生成する部分であり、各色光について生成された駆動制御信号は、ドライバＩＣ１３に出力される。
ドライバＩＣ１３は、液晶パネル６１Ｒ、６１Ｇ、６１Ｂを画素単位で駆動する部分であり、本実施形態では、ＲＧＢの各色光に応じて液晶パネル６１Ｒ、６１Ｇ、６１Ｂが設定されているため、ドライバＩＣ１３もその数に応じて設けられている。
【００２４】
出力光強度取得手段１４は、前述した複数の光検出素子９２から電気信号に基づいて、光強度としての輝度値を取得する部分である。
駆動機構制御手段１５は、機構駆動回路１５Ａに制御指令を出力し、調光装置９の遮光板駆動機構９３を駆動制御する部分である。
ここで、出力光強度取得手段１４による輝度値の取得は、駆動機構制御手段１５による遮光板９１の回動制御位置に応じて設定されており、図５に示すように、光源装置２から射出された光束による調光装置９上での照明領域Ａの幅方向寸法Ｗに対して、駆動機構制御手段１５は、その幅方向寸法が１／６Ｗとなるように、均等に回動制御位置を行い、遮光板９１が各位置に回動制御された際、出力光強度取得手段１４は、光検出素子９２からの輝度値を取得する。
【００２５】
そして、図３に示したように、遮光板９１に設けられた光検出素子９２は、高さ方向に２箇所設けられているため、出力光強度取得手段１４は、光源装置２の照明領域Ａ内の１０点で輝度値の取得を行うことができる。
このように出力光強度取得手段１４による輝度値の取得に際して、遮光板９１の回動位置を変化させることにより、光源装置２の照明領域Ａ内の複数点で輝度位置を取得することが可能となるため、光源装置２の光強度の取得をより高精度に行うことができる。
光源装置駆動制御手段１６は、光源装置駆動手段としての光源駆動回路１６Ａを介して光源装置２に印加する電圧を制御する部分であり、後述する補正量生成手段１８で補正量に応じて光源装置２から射出される光束の光量を制御する。
【００２６】
入力光強度情報取得手段１７は、入力される画像情報ＶＩＤＥＯに含まれる光強度情報、例えば、輝度情報、色度情報等を取得する部分である。この入力光強度情報取得手段１７は、画像情報ＶＩＤＥＯ中の１フレーム分の画像データから画面全体の平均輝度を取得して輝度情報として取得したり、ＭＰＥＧ２等のデジタルデータとして画像情報ＶＩＤＥＯが供給される場合、ヘッダ等に付された情報から画像情報ＶＩＤＥＯの輝度情報を取得することが可能である。
【００２７】
補正量生成手段１８は、出力光強度取得手段１４で取得された輝度値と、入力光強度情報取得手段１７で取得された輝度情報とに基づいて、光源装置２から射出される光束の光量を補正する補正量を生成する部分である。
具体的には、図６に示されるように、入力された画像情報ＶＩＤＥＯに含まれる輝度情報がグラフＧ１のように与えられており、光検出素子９２で検出された輝度値がグラフＧ２のように取得された場合、補正量生成手段１８は、グラフＧ２とグラフＧ２の差分を補正値として生成する。すなわち、図６に示されるように、画像情報ＶＩＤＥＯから取得された輝度情報が階調値に応じてグラフＧ１の出力をするのが好ましいとされている場合、グラフＧ２上で階調値がｋ１の時に光検出素子９２で検出された輝度値がＹ１であったとき、階調値ｋ１におけるグラフＧ１上の輝度値Ｙ２となるようにＹ１−Ｙ２を補正値として生成する。
そして、補正量生成手段１８は、生成した補正量を光源装置駆動制御手段１６及び駆動機構制御手段１５に出力する。
【００２８】
〔４〕プロジェクタ１の作用及び効果
次に、前述した構造のプロジェクタ１の作用を図７に示されるフローチャートに基づいて説明する。
まず、プロジェクタ１が起動されると（処理Ｓ１）、制御装置１０は、光源装置２の発光状態が安定するまで待機する（処理Ｓ２）。
光源装置２の発光状態が安定したら、駆動機構制御手段１５は、機構駆動回路１５Ａに制御指令を出力して遮光板駆動機構９３を駆動し、図５に示されるように、遮光板９１を所定の回動位置に回動させる（処理Ｓ３）。
【００２９】
この状態で出力光強度取得手段１４は、光検出素子９２からの検出値に基づいて、輝度値を取得し、制御装置１０に設けられた不図示のメモリ等の記憶領域に取得した輝度値を記録保存する（処理Ｓ４）。
駆動機構制御手段１５による遮光板９１の回動、及び、出力光強度取得手段１４による輝度値の取得は、図５に示されるすべての回動位置で行われ、補正量生成手段１８は、すべての回動位置での輝度値の取得がされたか否かを判定し（処理Ｓ５）、終了していない場合、処理Ｓ３及び処理Ｓ４を繰り返す。
【００３０】
輝度値の取得が全て終了したと判定された場合、補正量生成手段１８は、得られた１０箇所の輝度値（図５参照）から平均輝度値を算出し、この平均輝度値を現在の光源装置２の光強度としてメモリ上に記録保存する（処理Ｓ６）。
その後、画像情報ＶＩＤＥＯの入力が開始されたら（処理Ｓ７）、入力光強度情報取得手段１７は、画像処理手段１１に入力された画像情報ＶＩＤＥＯに含まれる輝度情報を取得し（処理Ｓ８）、補正量生成手段１８に出力する。
補正量生成手段１８は、先に算出した平均輝度値と、取得された輝度情報とを対比しながら補正量を生成し（処理Ｓ９）、駆動機構制御手段１５及び光源装置駆動制御手段１６に出力する。
【００３１】
光源装置駆動制御手段１６は、補正量生成手段１８で生成された補正量に基づいて光源装置２の駆動制御を行うとともに（処理Ｓ１０）、駆動機構制御手段１５は、同補正量に基づいて調光装置９の駆動制御を行い（処理Ｓ１１）、入力される画像情報ＶＩＤＥＯが終了するまで、処理Ｓ７乃至処理Ｓ１１を繰り返す。
このようなプロジェクタ１によれば、処理Ｓ１乃至処理Ｓ６により、光源装置２の照明領域Ａの複数箇所で輝度値を取得することが可能となり、代表値として平均輝度値を算出することで、光源装置２から射出された光束を直接検出し、しかも複数箇所で検出しているため、光源装置２から射出される光束の光強度をより高精度に検出することができる。
また、処理Ｓ７乃至処理Ｓ１２により、入力される画像情報ＶＩＤＥＯに応じた調光装置９の調光制御、光源装置２の発光制御を行うことができ、その補正量の算出も、高精度に検出された光強度に基づいて行っているため、入力される画像情報ＶＩＤＥＯに応じた高品質な画像を投射することにできるプロジェクタ１とすることができる。
【００３２】
〔５〕実施形態の変形
尚、本発明は、前述の実施形態に限定されるものではなく、以下に示すような変形をも含むものである。
前述の実施形態では、起動時に光源装置２の光強度を取得する処理を行っていたが、本発明はこれに限られず、例えば、画像表示に際して調光装置９による制御を行っていない場合、入力画像情報が中断されている際に、定期的に実行するようにしてもよい。
前述の実施形態では、光変調装置として液晶パネル６１Ｒ、６１Ｇ、６１Ｂを採用していたが、本発明はこれに限られず、マイクロミラーを用いたデバイスからなる光変調装置に本発明を採用してもよい。
【００３３】
前述の実施形態では、複数点で検出された輝度値の平均をとって光源装置２から射出された光束の代表的な輝度値としていたが、本発明はこれに限られず、メジアン、モード等統計的手法によって得られる種々の値を代表低な輝度値としてもよい。
前述の実施形態では、画像情報ＶＩＤＥＯの入力後は、調光装置９及び光源装置２を同時に駆動制御していたが、本発明はこれに限られず、調光装置９のみを駆動制御してもよい。
その他、本発明の実施の際の具体的な構造及び形状等は、本発明の目的を達成できる範囲で他の構造等としてもよい。
【図面の簡単な説明】
【００３４】
【図１】本発明の実施形態に係るプロジェクタの光学系を表す模式図。
【図２】前記実施形態における調光装置の構造を表す模式平面図。
【図３】前記実施形態における調光装置の構造を表す光源装置側から見た模式立面図。
【図４】前記実施形態におけるプロジェクタの制御装置の構造を表すブロック図。
【図５】前記実施形態における調光装置の遮光板の回動位置に応じた光検出素子による検出位置を説明するための模式図。
【図６】前記実施形態における補正量生成手段による補正量の生成方法を説明するためのグラフ。
【図７】前記実施形態におけるプロジェクタの作用を説明するためのフローチャート。
【符号の説明】
【００３５】
１…プロジェクタ、２…光源装置、８…投射光学装置、９…調光装置、１０…制御装置、１４…出力光強度取得手段、１５…駆動機構制御手段、１６…光源装置駆動制御手段、１７…入力光強度情報取得手段、１８…補正量生成手段、６１Ｒ、６１Ｇ、６１Ｂ…液晶パネル、９１…遮光板、９１Ａ…回動軸、９２…光検出素子、９３…遮光板駆動機構、ＶＩＤＥＯ…画像情報
【図１】
2008089837.tif 000003
【図２】
2008089837.tif 000004
【図３】
2008089837.tif 000005
【図４】
2008089837.tif 000006
【図５】
2008089837.tif 000007
【図６】
2008089837.tif 000008
【図７】
2008089837.tif 000009